(57)【特許請求の範囲】
【請求項１】
底面を上向きの水栓取付面に当接させて設置されるボディー部と、
該ボディー部に設けられたハンドル及び吐水管とを有するデッキ型水栓において、
該ボディー部は一方向に長い形状であり、該一方向の一方の端面にのみ前記ハンドルが設けられているデッキ型水栓であって、
前記一方の端面に第１のハンドルと第２のハンドルとが設けられ、第１のハンドルが第２のハンドルの上方に配置されていることを特徴とするデッキ型水栓。
【請求項２】
請求項１において、第１のハンドルは第２のハンドルよりも後退していることを特徴とするデッキ型水栓。
【請求項３】
底面を上向きの水栓取付面に当接させて設置されるボディー部と、
該ボディー部に設けられたハンドル及び吐水管とを有するデッキ型水栓において、
該ボディー部は一方向に長い形状であり、該一方向の一方の端面と上面とにのみ前記ハンドルが設けられているデッキ型水栓であって、
該ボディー部の上面のうち上面の該ハンドルよりも該一方の端面から離隔して前記吐水管が設けられていることを特徴とするデッキ型水栓。
【請求項４】
請求項１ないし３のいずれか１項において、前記一方向の他方の端面にシャワーホース接続口が設けられていることを特徴とするデッキ型水栓。
【請求項５】
請求項１ないし４のいずれか１項において、水用脚管及び湯用脚管がボディー部の底面において前記一方向に配列されていることを特徴とするデッキ型水栓。
【発明の詳細な説明】
【０００１】
【発明の属する技術分野】
本発明は、カウンターの上面、浴槽縁部の上面などの上向き面に設置されるデッキ型水栓に係り、特に、使用者から見て前後方向に延在するボディー部を有したデッキ型水栓に関する。
【０００２】
【従来の技術】
従来のデッキ型水栓の一例を第７図（ａ）、（ｂ）に示す。このデッキ型水栓１０は、使用者から見て左右方向に延在したボディー部１１と、該ボディー部の底面から突設された水用脚管１２及び湯用脚管１３と、該ボディー部１１の右端に設けられた温調ハンドル（温度調節用ハンドル）１４と、該ボディー部１１の前面中央に設けられた切替ハンドル１５と、該ボディー部１１の上面中央から突設された吐水管１６と、該ボディー部１１の後面中央から突設されたシャワーホース接続口１７とを有している。このボディー部１１の底面をカウンター上面等の上向き面１８に当接させるようにしてデッキ型水栓１０を該上向き面１８上に設置し、水用脚管１２及び湯用脚管１３に三角パッキン８を介してナット９を締め込むことによりデッキ型水栓１０が固定される。
【０００３】
上記の切替ハンドル１５を右に回すと吐水管１６から吐水が行われ、右方向に回すほどこの吐水量が増える。切替ハンドル１５を左に回すと、シャワー吐水が行われ、左方向に回すほどシャワー流量が増える。温調ハンドル１４を回すことにより、ボディー部１１内の湯水混合弁（図示略）の設定温度が変更される。
【０００４】
【発明が解決しようとする課題】
上記第７図の従来例に見られる通り、従来のデッキ型水栓は使用者にとって左右方向に長く延在するボディー部を有したものとなっている。かかるデッキ型水栓をカウンター上面に設置した場合、カウンター上面のスペースがかなり制約される。また、デッキ型水栓を浴槽上縁に設置した場合、該デッキ型水栓が邪魔になり風呂蓋を浴槽にぴったりと被せることができないことが多い。
【０００５】
本発明はこのうような不便を解決するために、使用者から見て前後方向に長いボディー部を有したデッキ型水栓を提供するものである。
【０００６】
【課題を解決するための手段】
本発明（請求項１）のデッキ型水栓は、底面を上向きの水栓取付面に当接させて設置されるボディー部と、該ボディー部に設けられたハンドル及び吐水管とを有するデッキ型水栓において、該ボディー部は一方向に長い形状であり、該一方向の一方の端面にのみ前記ハンドルが設けられているデッキ型水栓であって、前記一方の端面に第１のハンドルと第２のハンドルとが設けられ、第１のハンドルが第２のハンドルの上方に配置されていることを特徴とするものである。
【０００７】
また、本発明（請求項３）のデッキ型水栓は、底面を上向きの水栓取付面に当接させて設置されるボディー部と、該ボディー部に設けられたハンドル及び吐水管とを有するデッキ型水栓において、該ボディー部は一方向に長い形状であり、該一方向の一方の端面と上面とにのみ前記ハンドルが設けられているデッキ型水栓であって、該ボディー部の上面のうち上面の該ハンドルよりも該一方の端面から離隔して前記吐水管が設けられていることを特徴とするものである。
【０００８】
かかるデッキ型水栓にあっては、いずれもボディー部が使用者から見て前後方向に延在するものであり、従来のように横長とならない。
【０００９】
本発明のデッキ型水栓にあっては、２個のハンドルを使用者の正面側の端面に設ける場合、一方のハンドルを他方のハンドルの上方に配置することによりボディー部の左右幅を小さくする。この場合、第１のハンドルを第２のハンドルよりも後退させることにより、第２のハンドルを見易く又は操作し易くすることが好ましい。
【００１０】
ボディー部の使用者正面側と上面側とにそれぞれハンドルを設ける場合、上面にあっては、ハンドルが吐水管よりも使用者側となるように配置するのが好ましい。
【００１１】
本発明では、ボディー部の使用者から見て後面側となるように、ボディー部の他端面側にシャワーホース接続口を設けるのが好ましい。
【００１２】
【発明の実施の形態】
以下、図面を参照して実施の形態について説明する。第１図は実施の形態に係るデッキ型水栓の側面図、第２図はこのデッキ型水栓の正面図である。
【００１３】
このデッキ型水栓２０は、一方向に長いボディー部２１と、該ボディー部２１の底面から突設された水用脚管２２及び湯用脚管２３と、該ボディー部２１の該一方向の一方の端面（使用者から見て正面）に設けられた温調ハンドル２４及び切替ハンドル２５と、該ボディー部２１の上面から突設された吐水管２６と、該ボディー部２１の他方の端面（使用者から見て後面）から突設されたシャワーホース接続口２７とを有する。２８，２９はストレーナ兼用逆止弁を示す。
【００１４】
この温調ハンドル２４は、ボディー部２１内に設けられた湯水混合弁（図示略）の設定温度を切り替えるように該湯水混合弁操作軸に連結されている。切替ハンドル２５は、ボディー部２１内の切替及び流量調節用の弁（図示略）の操作軸に連結されている。この切替ハンドル２５を右に回すと吐水管２６から吐水が行われ、且つ右に回すほど吐水量が増大する。切替ハンドル２５を左に回すと、シャワー吐水が行われ、左に回すほどシャワー水量が増大する。
【００１５】
この切替ハンドル２５は、温調ハンドル２４の上方に配置され、且つ温調ハンドル２４よりも後退している。このため、温調ハンドル２４が見易いと共に、操作し易い。
【００１６】
第３図（ａ）、（ｂ）は別の実施の形態に係るデッキ型水栓の正面図と側面図である。
【００１７】
このデッキ型水栓３０は、一方向に長いボディー部３１と、該ボディー部３１の底面から突設された水用脚管３２及び湯用脚管３３と、該ボディー部３１の該一方向の一方の端面（使用者から見て正面）に設けられた温調ハンドル３４及び切替ハンドル３５と、該ボディー部３１の上面から突設された吐水管３６と、該ボディー部３１の他方の端面（使用者から見て後面）から突設されたシャワーホース接続口３７とを有する。
【００１８】
温調ハンドル３４及び切替ハンドル３５の機能は第１，２図のデッキ型水栓２０と同一である。
【００１９】
第４図（ａ）、（ｂ）はさらに別の実施の形態に係るデッキ型水栓３０’の正面図と側面図である。このデッキ型水栓３０’は、ボディー部３１’の正面が若干上向きの且つ緩く凸に湾曲した斜面となっているほかは第３図のデッキ型水栓３０と同一構成のものであり、他の符号は第３図と同一部分を示している。
【００２０】
第５図（ａ）、（ｂ）は別の実施の形態に係るデッキ型水栓３０”の正面図と側面図である。このデッキ型水栓３０”は、ボディー部３１”の上縁が丸みを帯びている他は第３図のデッキ型水栓３０と同一構成のものであり、他の符号は第３図と同一部分を示している。
【００２１】
第６図（ａ）、（ｂ）は異なる実施の形態に係るデッキ型水栓の正面図と側面図である。
【００２２】
このデッキ型水栓４０は、一方向に長いボディー部４１と、該ボディー部４１の底面から突設された水用脚管４２及び湯用脚管４３と、該ボディー部４１の該一方向に一方の端面（使用者から見て正面）に設けられた温調ハンドル４４と、該ボディー部４１の上面の前部に設けられた切替ハンドル４５と、該ボディー部２１の上面の後部から突設された吐水管４６と、該ボディー部４１の他方の端面（使用者から見て後面）から突設されたシャワーホース接続口４７とを有する。
【００２３】
このように構成されたデッキ型水栓は、いずれもボディー部が使用者から見て前後方向に延在するものであり、カウンター上面のスペースを広く使うことが可能となると共に、浴槽上縁に設置された場合には、風呂蓋の邪魔になりにくい。
【００２４】
上記実施の形態は本発明の一例であって、ボディー部の形状等は図示意外とされても良い。また、上記実施の形態では、いずれも湯用脚管及び水用脚管をボディー部の長手方向に配置しており、且つ湯用脚管を手前側としているが、水用脚管を手前側としても良い。
【００２５】
【発明の効果】
以上の通り、本発明のデッキ型水栓によると、カウンター上面のスペースを広く使えるようにしたり、浴槽に風呂蓋を被せる際の邪魔になりにくいものとしたりすることができる。
【図面の簡単な説明】
【図１】実施の形態に係るデッキ型水栓の側面図である。
【図２】図１のデッキ型水栓の正面図である。
【図３】実施の形態に係るデッキ型水栓の正面図と側面図である。
【図４】実施の形態に係るデッキ型水栓の正面図と側面図である。
【図５】実施の形態に係るデッキ型水栓の正面図と側面図である。
【図６】実施の形態に係るデッキ型水栓の正面図と側面図である。
【図７】従来例に係るデッキ型水栓の正面図と側面図である。
【符号の説明】
１０，２０，３０，３０’，３０”，４０  デッキ型水栓
１１，２１，３１，３１’，３１”，４１  ボディー部
１２，２２，３２，４２  水用脚管
１３，２３，３３，４３  湯用脚管
１４，２４，３４，４４  温調ハンドル
１５，２５，３５，４５  切替ハンドル
１６，２６，３６，４６  吐水管
１７，２７，３７，４７  シャワーホース接続口
【図１】
0003680706.tif 000002
【図２】
0003680706.tif 000003
【図３】
0003680706.tif 000004
【図４】
0003680706.tif 000005
【図５】
0003680706.tif 000006
【図６】
0003680706.tif 000007
【図７】
0003680706.tif 000008